(57)【要約】【課題】タンパーエビデントバンドを有するキャップにより閉蓋されていても、口部とキャップとの隙間への洗浄水の流入及び流出が円滑に行われ、内容物の充填後にキャップにより閉蓋された口部の外周の洗浄を効率よく確実に行うことができるポリエステル樹脂製ボトルを提供する。【解決手段】ポリエステル樹脂製ボトルの円筒状の口部１に、その外周に螺旋状に突出するネジ部２と、ネジ部２の下方に隣接して環状に突出するカブラ部３とを設ける。カブラ部に、その上下方向の全幅にわたってスリット５が形成されている。スリット５により、キャップと口部１との間に流入した洗浄水を外部に円滑に流出させることができる。【選択図】図１
2007069939.tif 000002
【特許請求の範囲】
【請求項１】
外周に螺旋状に突出するネジ部と該ネジ部の下方に隣接して環状に突出するカブラ部とが形成された円筒状の口部を有するポリエステル樹脂製ボトルにおいて、
前記カブラ部に、その上下方向の全幅にわたってスリットが形成されていることを特徴とするポリエステル樹脂製ボトル。
【請求項２】
前記ネジ部に、該ネジ部の螺旋方向に交差するスリットが形成されていることを特徴とする請求項１記載のポリエステル樹脂製ボトル。
【請求項３】
前記カブラ部のスリットは、該カブラ部の突出寸法より浅く形成されていることを特徴とする請求項１又は２記載のポリエステル樹脂製ボトル。
【請求項４】
前記カブラ部のスリットは、その上方から下方に向かって次第に浅くなるように傾斜する底部を備えることを特徴とする請求項１乃至３の何れか１項記載のポリエステル樹脂製ボトル。
【請求項５】
前記カブラ部のスリットは、その上端が下端より幅広に形成されていることを特徴とする請求項１乃至４の何れか１項記載のポリエステル樹脂製ボトル。
【請求項６】
前記口部を形成する樹脂が結晶化されていることを特徴とする請求項１乃至５の何れか１項記載のポリエステル樹脂製ボトル。
【発明の詳細な説明】
【技術分野】
【０００１】
本発明は、飲料等を収容するポリエチレンテレフタレート樹脂等により形成されたポリエステル樹脂製ボトルに関する。
【背景技術】
【０００２】
この種のボトルは、口部から飲料等の内容物を充填する際に、内容物が口部の外周面に付着することがある。内容物が口部の外周面に付着した状態で口部をキャップにより閉蓋密封すると、口部とキャップとの隙間に残留した内容物が飲み口である口部を汚染するため好ましくない。そこで、従来、キャップにより閉蓋密封された口部に向けて洗浄水を噴射することにより、口部とキャップとの隙間に残留した内容物を洗浄することが行われている。
【０００３】
ところで、近年、この種のボトルにおいては、口部を閉蓋するキャップとして、販売時の陳列中にいたずらによって開栓されたことが確認可能となるように、タンパーエビデント特性を有するものが採用されている。この種のキャップは、ボトルの口部を閉塞する円盤状の天板と、天板の周縁から筒状に延びて内周壁にネジ部を備えるスカート部と、スカート部の下縁に破断可能なスコア部を介してタンパーエビデントバンドとを備えている。それに対応して、この種のボトルにおいても、その口部の外周には、キャップのネジ部に螺合すべく螺旋状に突出するネジ部と、タンパーエビデントバンドの内周に折り返された係止片を係止すべく環状に突出するカブラ部とが形成されている（例えば、特許文献１参照）。
【０００４】
しかし、ボトルの口部の外周に環状のカブラ部が形成されていることによって、キャップにより閉蓋密封された口部を洗浄する際に、口部に向かって噴射される洗浄水がタンパーエビデントバンドとカブラ部とに阻止される。これによって、口部とキャップとの隙間に洗浄水を流入させることが困難であるだけでなく、一旦口部とキャップとの隙間に入った洗浄水はその流出が円滑に行われないので、十分な洗浄効果が得られず、洗浄水の噴射時間を長時間として大量の洗浄水が必要となって洗浄効率が低い不都合がある。
【特許文献１】特開平９−１８８３４２号公報（図１）
【発明の開示】
【発明が解決しようとする課題】
【０００５】
かかる不都合を解消して、本発明は、タンパーエビデントバンドを有するキャップにより閉蓋されていても、口部とキャップとの隙間への洗浄水の流入及び流出が円滑に行われ、内容物の充填後にキャップにより閉蓋された口部の外周の洗浄を効率よく確実に行うことができるポリエステル樹脂製ボトルを提供することを目的とする。
【課題を解決するための手段】
【０００６】
かかる目的を達成するために、本発明は、外周に螺旋状に突出するネジ部と該ネジ部の下方に隣接して環状に突出するカブラ部とが形成された円筒状の口部を有するポリエステル樹脂製ボトルにおいて、前記カブラ部に、その上下方向の全幅にわたってスリットが形成されていることを特徴とする。
【０００７】
本発明のポリエステル樹脂製ボトルは、その口部に螺着して閉蓋するキャップとしてタンパーエビデントバンドを有するキャップを好適に採用することができる構成を有するものである。即ち、本発明のポリエステル樹脂製ボトルの口部を閉蓋するキャップは、例えば、口部を閉塞する円盤状の天板と、天板の周縁から筒状に延びて内周壁にネジ部を備えるスカート部と、スカート部の下縁に破断可能なスコア部を介してタンパーエビデントバンドとを備えおり、タンパーエビデントバンドの内周に折り返された係止片が形成されているものを挙げることができる。本発明のポリエステル樹脂製ボトルは、口部の外周に螺旋状に突出するネジ部を備えており、キャップのスカート部の内周壁に形成されたネジ部を螺合させて閉蓋することができる。また、本発明のポリエステル樹脂製ボトルは、口部外周のネジ部の下方に隣接して環状に突出するカブラ部を備えており、該カブラ部の下縁に、キャップのタンパーエビデントバンドの内周に形成された係止片を係止することができる。
【０００８】
そして、本発明のポリエステル樹脂製ボトルにおいては、前記カブラ部にスリットが形成されているので、内容物が充填されてキャップにより閉蓋された口部に洗浄水を噴射したとき、カブラ部のスリットを介してキャップと口部との間に洗浄水を円滑に流入させることができると共にキャップと口部との間を洗浄した洗浄水をカブラ部のスリットを介して外部に円滑に流出させることができる。これによって、口部にカブラ部が形成されていても、キャップと口部との間を確実に洗浄することができ、高い洗浄効率を得ることができる。
【０００９】
なお、本発明においては、前述したキャップのタンパーエビデントバンドの係止片が十分に係止可能であれば、カブラ部に設ける前記スリットの数や幅寸法は、適宜選択することができる。特に、カブラ部に３つ以上の前記スリットを所定間隔を存して設けることが洗浄効果を高める上で適している。また、カブラ部のスリットは、その好ましい一例として、口部の軸線に平行となるように設けることが挙げられるが、カブラ部の上下方向の全幅にわたって設けられていれば、口部の軸線に対して傾斜していてもよく、或いは、蛇行していてもよい。
【００１０】
本発明においては、更に、前記ネジ部に、該ネジ部の螺旋方向に交差するスリットが形成されていることが好ましい。こうすることにより、キャップと口部との間に満遍なく洗浄水をいきわたらせることができ、高い洗浄効果を得ることができる。
【００１１】
また、本発明において、前記スリットは、カブラ部の突出寸法より浅く形成されていることを特徴とする。これによれば、カブラ部のスリット位置に口部の肉厚を十分に確保することができるので、キャップのタンパーエビデントバンドの内周に形成された係止片を確実に係止することができ、しかも、カブラ部にスリットを設けたことによる口部の強度低下を防止することができる。
【００１２】
また、本発明において、前記カブラ部のスリットは、その上方から下方に向かって次第に浅くなるように傾斜する底部を備えることを特徴とする。これによれば、該スリットの傾斜する底部により口部の肉厚を十分に確保して、カブラ部の下縁にキャップのタンパーエビデントバンドの内周に形成された係止片を確実に係止することができ、更に、口部の強度低下を防止することができると同時に、洗浄水をスリットの傾斜する底部に沿って外部に円滑に案内することができる。
【００１３】
また、本発明において、前記カブラ部のスリットは、その上端が下端より幅広に形成されていることを特徴とする。これによれば、キャップと口部との間からの洗浄水の流下をより確実に促進することができる。
【００１４】
また、本発明においては、前記口部を形成する樹脂が結晶化されていることが好ましい。ポリエステル樹脂製ボトルにおいては、口部に加熱処理等を施して結晶化させ白化させることにより耐熱性を付与することができる。
【００１５】
更にこのとき、口部の内径が２０〜４０mmとされるボトルにおいては、前記ネジ部及びカブラ部が形成された位置における前記口部の肉厚寸法が、１．３mm〜４．０mmとされていることが好ましい。口部の肉厚寸法が１．３mmより小であると、結晶化する際に行われる加熱処理等において、前記カブラ部、或いはネジ部に形成されたスリットの影響により口部に歪みが生じるおそれがある。また、口部の肉厚寸法が４．０mmより大であると、結晶化が不十分となって十分な耐熱性を得ることができないおそれがある。そこで、口部の肉厚寸法を１．３mm〜４．０mmとすることで、口部の歪みを防止し且つ確実に結晶化して口部に高い耐熱性を付与することができる。
【発明を実施するための最良の形態】
【００１６】
本発明の実施形態を図面に基づいて説明する。
【００１７】
図１に示す口部１は、ポリエチレンテレフタレート等のポリエステル樹脂によって形成された図示しないボトルの上端に一体に形成されている。本実施形態におけるボトルは、飲料等が内容物として充填されるもので、容量が２００〜２０００ミリリットルとされるものである。口部１は、ボトルに飲料等の内容物を充填する際には充填口とされ、飲用時には飲み口或いは注出口として使用される。なお、この種のボトルに設けられる口部１の内径は２０〜４０mmの範囲内で形成されている。
【００１８】
口部１は、図２に示すように円筒状に形成されており、図１に示すようにその外周には螺旋状に突出するネジ部２が形成されている。ネジ部２の下方には環状に突出するカブラ部３が形成されている。更に、カブラ部３の下方には口部１の外側に張り出す鍔部４が形成されている。
【００１９】
カブラ部３には、口部１の軸線に沿った方向に延びる複数のスリット５が形成されており、これによって、カブラ部３が不連続の環状に突出するように形成される。
【００２０】
また、口部１は、加熱処理により結晶化され白化されており、耐熱性が付与されている。
【００２１】
図３に一部を断面視して示すように、口部１にはキャップ６が被冠される。キャップ６は、口部１を閉塞するシール部材７を有する円盤状の天板８と、天板８の周縁から筒状に下方に延びて内周壁にネジ部９が形成されたスカート部１０とを備えている。更に、キャップ６は、いたずら等による不正開封が確認できるタンパーエビデント特性を得るために、スカート部１０の下縁に破断可能なスコア部１１を介してタンパーエビデントバンド１２を備えている。タンパーエビデントバンド１２には、その内周に折り返えされて端縁を上方に向けた係止片１３が連設されている。
【００２２】
口部１のネジ部２には、キャップ６のスカート部１０のネジ部９が螺着され、カブラ部３の下縁には、キャップ６のタンパーエビデントバンド１２に形成された係止片１３の上縁が係止される。
【００２３】
口部１へのキャップ６の取り付けは、ボトル胴部内への内容物の充填に続いて行われる。このため、口部１の外周に内容物が付着した状態でキャップ６が取り付けられると、口部１とキャップ６との隙間に内容物が残留する。そこで、口部１へのキャップ６の取り付けに続いて、口部１に向かって洗浄水が噴射され、口部１とキャップ６との隙間の洗浄が行われる。このとき、カブラ部３のスリット５を介して口部１とキャップ６との隙間に洗浄水が円滑に流入し、また、口部１とキャップ６との隙間の洗浄水はカブラ部３のスリット５を介して円滑に流出するので、カブラ部３による洗浄水の流通が阻害されることなく、極めて効率よく十分な洗浄を行うことができる。
【００２４】
そして、カブラ部３にスリット５を形成するだけで、洗浄水の流通を促進させたことにより、カブラ部３への係止片１３の係止状態を低下させることなく強固な係止状態を維持することができる。カブラ部３に係止片１３が強固に係止されることにより、キャップ６を回転させて口部１を開封したとき、係止片１３によるカブラ部３への係止が維持されるので、タンパーエビデントバンド１２がスコア部１１によってスカート部１０から切離されて鍔部４上に落下する。これにより、再びキャップ６を螺着させても、タンパーエビデントバンド１２とスカート部１０との間に隙間が生じて不正開封が確認できる。
【００２５】
また、図２に示すように、口部１は、少なくともネジ部２及びカブラ部３が形成されている部分の厚み寸法ｘが、１．３mm〜４．０mmの範囲内となるように形成されている。これにより、結晶化のために口部１を加熱しても口部１が変形することなく、口部１の形状を精度の高い円筒状に維持することができ、キャップ６（図３に示す）によって閉蓋された口部１の密封性を確実に維持することができる。
【００２６】
また、図４に示すように、口部１のネジ部２にスリット１４を形成してもよい。図４において、ネジ部２以外の構成については前述した図１乃至図３に示すものと同一の構成を有している。該ネジ部２のスリット１４は、口部１の軸線に沿った方向にネジ部２を縦断して複数設けられている。これにより、口部１とキャップ６との隙間の洗浄を行う際に、口部１のネジ部２とキャップ６のネジ部９（図３参照）との間における洗浄水の流通が円滑が行われ、洗浄効率を向上させることができる。
【００２７】
更に、図５及び図６に示すように、カブラ部３のスリット５は、カブラ部３の突出寸法より浅く形成されていてもよい。図５及び図６において、ネジ部２及びカブラ部３以外の構成については前述した図１乃至図３に示すものと同一の構成を有している。これにより、スリット５が設けられた部分の口部１の肉厚を十分に確保することができるので、カブラ部３の強度を向上させることができ、例えば、加熱処理によって口部１を結晶化する際にも口部１の変形を一層確実に防止することができる。更に、スリット５がカブラ部３の突出寸法より浅く形成されていることで、キャップ６の係止片１３（図３参照）をカブラ部３の下縁に強固に係止させることができ、係止片１３の強固な係止と洗浄水の円滑な流動とを容易に両立させることができる。そして更に、図５に示すように、口部１のネジ部２にスリット１４を形成した場合にも、スリット１４をネジ部２の突出寸法より浅く形成しておくことにより、口部１の強度を向上させることができる。
【００２８】
また、図７に断面視して示すように、カブラ部３のスリット５の底部５ａを上方から下方に向かって次第に浅くなるように傾斜させて形成してもよい。これによっても、カブラ部３の下縁にキャップ６の係止片１３を確実に係止させることができ、係止片１３の強固な係止と洗浄水の円滑な流動とを容易に両立させることができる。
【００２９】
また、本実施形態においてはカブラ部３に４つのスリット５を備えた例を示したが、スリット５は洗浄時の洗浄水の流動を円滑に得るために３つ以上が好ましく、スリット５の数及び幅寸法は適宜選択することができる。このとき、カブラ部３の形状は、図３に示すように、キャップ６のタンパーエビデントバンド１２の係止片１３が十分に係止可能となる形状であればよい。
【００３０】
更に、図８に示すように、スリット５を口部１の軸線に対して傾斜させて設けてもよく、また、図９に示すように、スリット５をその上端が下端より幅広となるように形成してもよい。
【００３１】
また、スリット５は、図示しないが、プリフォーム成形用の金型により、プリフォームの成形と同時にカブラ部３の所定位置に形成してもよく、或いは、プリフォーム成形後にカブラ部３の所定位置を切削することにより形成してもよい。
【図面の簡単な説明】
【００３２】
【図１】本発明の実施形態のポリエステル樹脂製ボトルの口部を示す側面図。
【図２】図１のII−II線断面図。
【図３】本実施形態における閉蓋状態の口部の一部を示す縦断面図。
【図４】ネジ部における他の例を示す側面図。
【図５】カブラ部及びネジ部における他の例を示す口部の側面図。
【図６】図５のVI−VI線断面図。
【図７】カブラ部のスリットの他の例をを示す説明的断面図。
【図８】カブラ部のスリットの他の例をを示す口部の側面図。
【図９】カブラ部のスリットの他の例をを示す口部の側面図。
【符号の説明】
【００３３】
２…ネジ部、３…カブラ部、１，１ａ，１ｂ…口部、５，５ａ…カブラ部のスリット、１４，１４ａ…ネジ部のスリット。
【図１】
2007069939.tif 000003
【図２】
2007069939.tif 000004
【図３】
2007069939.tif 000005
【図４】
2007069939.tif 000006
【図５】
2007069939.tif 000007
【図６】
2007069939.tif 000008
【図７】
2007069939.tif 000009
【図８】
2007069939.tif 000010
【図９】
2007069939.tif 000011